(57)【要約】【課題】回収対象用紙（純正の専用紙）の回収と、その印刷用紙の購入に対する経済的な負担軽減とに好適な、従来にない印刷用紙回収機を提供する。【解決手段】用紙受入口４に差し入れられた印刷用紙につき、情報読取手段により、回収対象用紙固有の用紙識別情報を読み取る。そして、前記回収対象用紙固有の用紙識別情報を読みることができた回収対象用紙であれば、用紙回収保存手段により、その印刷用紙を回収して保存する。また、ポイント発行手段により、少なくとも用紙購入に充当可能なポイントを発行して用紙購入代金の何割かをポイントでユーザーに還元する。【選択図】図１
2009217311.tif 000002
【特許請求の範囲】
【請求項１】
インクジェットプリンタの印刷用紙の受入口と、
前記受入口に差し入れられた印刷用紙から回収対象用紙固有の用紙識別情報を読み取る情報読取手段と、
前記情報読取手段により前記回収対象用紙固有の用紙識別情報が読み取られた印刷用紙を回収して保存する用紙回収保存手段と、
前記情報読取手段により前記回収対象用紙固有の用紙識別情報が読み取られた印刷用紙に対して少なくとも用紙購入に充当可能なポイントを発行するポイント発行手段とを備えた印刷用紙回収機。
【請求項２】
前記回収対象用紙固有の用紙識別情報は、印刷用紙の裏面に印刷された情報である請求項１に記載の印刷用紙回収機。
【請求項３】
前記ポイント発行手段が発行するポイントは、印刷用紙の用紙サイズに応じて異なるものである請求項１又は２に記載の印刷用紙回収機。
【請求項４】
請求項１〜３のいずれかに記載の印刷用紙回収機において、
前記情報読取手段により前記回収対象用紙固有の用紙識別情報が読み取られない回収対象外の印刷用紙に対して用紙回収の可否の選択画面を表示する表示部と、
前記選択画面の表示に基づく用紙回収可の選択により前記回収対象外の印刷用紙を前記用紙回収保存手段に保存させる回収制御手段と、
前記選択画面からの用紙回収不可の選択により前記回収対象外の印刷用紙を排出して返却する排出口とを更に備えた印刷用紙回収機。
【発明の詳細な説明】
【技術分野】
【０００１】
本発明は、インクジェットプリンタの使用済みの回収対象用紙を回収する従来にない印刷用紙回収機に関する。
【背景技術】
【０００２】
従来、インクジェットプリンタの印刷用紙として、写真専用紙、ハガキ用紙等の用途に応じた純正の専用紙がプリンタメーカーから提供されている。また、デジタルカメラの普及等に基づき、インクジェットプリンタには、フォトプリンタと呼ばれる主に前記写真専用紙の印刷に特化した写真印刷専用のものもある。
【０００３】
ところで、インクジェットプリンタで印刷する場合、印刷条件の設定ミス等により印刷に失敗することがある。また、インクジェットプリンタにおいては、ノズルチェックのためにノズルチェックパターンの印刷が必要になる（例えば、特許文献１参照）。
【０００４】
【特許文献１】特開２００３−１０３８０４号公報（段落［０００２］−［０００３］、［００３２］、図１等）
【発明の開示】
【発明が解決しようとする課題】
【０００５】
前記のように印刷に失敗したり、ノズルチェックパターンを印刷することは、プリンタのユーザーにとっては印刷用紙の無駄な消費に等しい。
【０００６】
印刷用紙のこのような無駄な消費は従来はすべてユーザーが負担しているが、とくに前記写真専用紙等の純正の専用紙は高価であるので、このような専用紙の無駄な消費は、ユーザーの経済的負担が大きく、これがフォトプリンタ等のインクジェットプリンタのイメージダウンにつながるおそれがある。
【０００７】
また、ノズルチェックパターンの印刷に純正の専用紙を使う必要があるフォトプリンタ等の場合、ユーザーが安価な普通紙をノズルチェックパターンの印刷に代用することが考えられるが、そのようなことをすると、プリンタに紙ジャムなどのトラブルが生じるおそれがある。また、紙粉の発生によりプリンタが故障等するおそれもある。
【０００８】
一方、印刷失敗やノズルチェックパターンの印刷のようなユーザーとっては必要のない印刷が行われた印刷用紙を回収して再利用することができれば、環境保護等にも貢献できるが、そのような回収システムは存在しない。
【０００９】
本発明は、上記課題に鑑みなされたものであり、印刷失敗やノズルチェックパターンの印刷のようなユーザーにとっては無駄な消費に等しい印刷が行われた回収対象用紙（純正の専用紙）の回収と、ユーザーの印刷用紙の購入に対する経済的な負担軽減とに好適な、従来にない印刷用紙回収機を提供することを目的とする。
【課題を解決するための手段】
【００１０】
上記目的を達成するために、本発明は、インクジェットプリンタの印刷用紙の受入口と、前記受入口に差し入れられた印刷用紙から回収対象用紙固有の用紙識別情報を読み取る情報読取手段と、前記情報読取手段により前記回収対象用紙固有の用紙識別情報が読み取られた印刷用紙を回収して保存する用紙回収保存手段と、前記情報読取手段により前記回収対象用紙固有の用紙識別情報が読み取られた印刷用紙に対して少なくとも用紙購入に充当可能なポイントを発行するポイント発行手段とを備えた印刷用紙回収機を提供する。
【００１１】
この印刷用紙回収機は印刷用紙の販売店やコンビニエンスストア等に設置される。そして、印刷失敗やノズルチェックパターンの印刷のようなユーザーとっては無駄な消費に等しい印刷が行われた回収対象用紙を印刷用紙回収機の受入口に差し入れると、その情報読取手段により、差し入れられた印刷用紙から回収対象用紙固有の用紙識別情報が読みとられる。
【００１２】
さらに、用紙識別情報が読みとられた回収対象用紙であれば、用紙回収保存手段により、その印刷用紙が回収されて保存される。また、ポイント発行手段により、少なくとも用紙購入に充当可能なポイントが発行される。
【００１３】
したがって、印刷失敗やノズルチェックパターンの印刷のようなユーザーとっては無駄な消費に等しい印刷が行われた回収対象用紙を回収するとともに、その用紙購入代金の何割かをポイントでユーザーに還元して用紙購入に対する経済的な負担を軽減することができる。さらに、紙ジャム等の故障を誘発することもない。その結果、インクジェットプリンタの評価を高めることができる。加えて、回収された印刷用紙を再利用することにより、環境保護等にも貢献ができる。
【００１４】
前記回収対象用紙固有の用紙識別情報は、印刷用紙の裏面に印刷された情報であることが好ましい。
【００１５】
この場合、純正の専用紙の裏面に印刷されたプリンタメーカーのロゴマーク等によって回収対象用紙固有の用紙識別情報を形成することができ、容易に本発明を実施することができる。
【００１６】
また、前記ポイント発行手段が発行するポイントは、印刷用紙の用紙サイズに応じて異なることが好ましい。
【００１７】
この場合、純正の専用紙は用紙サイズによって販売価格が異なることから、ポイント発行手段により、印刷用紙の用紙サイズに応じて異なるポイントを発行することにより、用紙サイズに応じた公平なポイントの発行が行える。
【００１８】
つぎに、本発明の印刷用紙回収機は、前記情報読取手段により前記回収対象用紙固有の用紙識別情報が読み取られない回収対象外の印刷用紙に対して用紙回収の可否の選択画面を表示する表示部と、前記選択画面の表示に基づく用紙回収可の選択により前記回収対象外の印刷用紙を前記用紙回収保存手段に保存させる回収制御手段と、前記選択画面からの用紙回収不可の選択により前記回収対象外の印刷用紙を排出して返却する排出口とを更に備える。
【００１９】
この場合、回収対象用紙以外の印刷用紙が差し入れられたときに、表示部に回収してもよいか否かの選択画面を表示し、この選択画面の表示に基づいて用紙回収可が選択されると、その用紙も用紙回収保存手段が回収して保存することができる。一方、前記選択画面の表示に基づき用紙回収不可が選択されると、排出口からその印刷用紙が排出されてユーザーに返却される。
【００２０】
したがって、回収対象用紙以外の印刷用紙についても、そのユーザーの意思を優先して積極的に回収することができ、印刷用紙の再利用による環境保護等に一層貢献できる。
【発明を実施するための最良の形態】
【００２１】
本発明の一実施形態について、図１〜図４を参照して詳述する。図１は本実施形態の印刷用紙回収機１の外観を示す斜視図である。図２は印刷用紙回収機１の回路ブロック図、図３はその動作説明のフローチャートである。図４は印刷用紙回収機１を用いた印刷用紙回収方法の模式図である。
【００２２】
（印刷用紙回収機１の構成）
まず、印刷用紙回収機１の構成について、図１、図２を参照して説明する。
【００２３】
印刷用紙回収機１は、少なくとも回収対象の回収対象用紙（写真用紙等の純正の専用紙）を回収してポイントを発行する構成であればよいが、本実施形態の場合、併せて、使用済みのインクカートリッジを回収してポイントを発行する手段も備える。
【００２４】
そして、印刷用紙回収機１は図１に示すように形成され、箱体状の自立型スタンドケース２は、例えば上部の傾斜した前面２ａに表示・操作パネル部３を有する。この表示・操作パネル部３は上部に例えば液晶ディスプレイの表示部３ａが設けられ、下部に複数個の操作ボタン３ｂが配設されている。表示部３ａが本発明の表示部を形成する。
【００２５】
さらに、前記自立型スタンドケース２の下部の前面２ｂは、その中央部に上から順に印刷用紙が例えば裏面を上にして差し入れられる用紙受入口４、用紙排出口５が設けられている。前面２ｂの右側にはポイントカード挿入口６が設けられ、左側には上から順にカートリッジ投入口７、カートリッジ排出口８が設けられている。なお、用紙受入口４が本発明の受入口を形成し、用紙排出口５が本発明の排出口を形成する。
【００２６】
ポイントカード挿入口６は、書き換え可能な例えば磁気カードタイプ又はＩＣカードタイプのポイントカードが出し入れ自在に挿入される。さらに、カートリッジ投入口７は使用済みのインクカートリッジの投入口であり、カートリッジ排出口８は投入された回収対象外のインクカートリッジの排出口である。
【００２７】
つきに、自立型スタンドケース２の内部の回路ブロックは、概略、図２に示すように構成される。同図において、９は後述する各種のプログラムを実行するＣＰＵ、１０はＲＯＭであり、ＣＰＵ９が実行する印刷用紙及びインクカートリッジの回収処理、ポイント発行処理のプログラムを保持する。１１はＣＰＵ９の各種の処理に用いられるＲＡＭである。
【００２８】
１２はＣＰＵ９の制御にしたがって表示部３ａに各種メッセージ等を表示させる表示処理部、１３は各操作ボタン３ｂの入力インターフェースを形成する操作受付部である。
【００２９】
１４は用紙情報読取・判別部であり、ＣＰＵ９により動作制御され、用紙受入口４に差し入れられた印刷用紙から回収対象用紙固有の用紙識別情報を読み取り、用紙受入口４に差し入れられた印刷用紙が回収対象用紙か否かを判別する。１５は印刷用紙の回収処理部であり、用紙受入口４に差し入れられた回収対象用紙等の回収すべき印刷用紙を自立型スタンドケース２内の用紙回収容器（トレイ等）に送って回収・保存する。１６は用紙受入口４に差し入れられた回収対象外の用紙を用紙排出口５に排出して返却する用紙排出処理部である。
【００３０】
１７はカートリッジ情報読取・判別部であり、ＣＰＵ９により動作制御され、カートリッジ投入口７に差し入れられたインクカートリッジから回収対象カートリッジ固有のカートリッジ識別情報を読み取り、カートリッジ投入口７に投入されたインクカートリッジが回収対象カートリッジか否かを判別する。１８はインクカートリッジの回収処理部であり、カートリッジ投入口７に投入された回収対象カートリッジを自立型スタンドケース２内のカートリッジ回収容器に送って回収・保存する。１９はカートリッジ投入口７に投入された回収対象外のインクカートリッジをカートリッジ排出口８に排出するカートリッジ排出処理部である。
【００３１】
２０はポイントカード書込／読出処理部であり、ＣＰＵ９の制御により、ポイントカード挿入口６に挿入されたポイントカードの記録の読み出し、書込み（書き替え）を行う。２１は通信処理部であり、例えば、回収対象用紙の製造販売元であるプリンタメーカーのウエブサイトにアクセスし、プリンタメーカーのデータベースとポイントの情報をやりとりする。
【００３２】
そして、ＣＰＵ９及び用紙情報読取・判別部１４が本発明の情報読取手段を形成し、ＣＰＵ９及び用紙回収処理部１５が本発明の用紙回収保存手段及び回収制御手段を形成し、ＣＰＵ９及びポイントカード書込／読出処理部２０が本発明のポイント発行手段を形成する。
【００３３】
ところで、本実施形態においては、いわゆるＬ版からＡ３までの純正の写真用紙を回収対象用紙とする。また、前記回収対象用紙固有の用紙識別情報は、印刷用紙の裏面に印刷された情報である。この情報は、例えば純正の専用紙の裏面に印刷されているプリンタメーカーのロゴマーク又は製造情報のバーコードである。このようにすることによって、用紙側の変更をほとんど不要にして容易に実施できる利点がある。
【００３４】
そして、用紙情報読取・判別部１４は、前記回収対象用紙固有の用紙識別情報がロゴマークの場合、用紙受入口４に差し入れられた印刷用紙の裏面を例えばＣＭＯＳＩＣのカメラにより撮影し、周知のパターン認識の画像処理により、撮影画像に予め記憶した前記ロゴマークを読み取って前記回収対象用紙固有の用紙識別情報が印刷されているか否かを判別する。また、前記回収対象用紙固有の用紙識別情報がバーコードの場合、赤外線の発光部と受光部で構成される周知のバーコード読み取り器により用紙受入口４に差し入れられた印刷用紙の裏面のバーコードを読み取り、そのバーコードの製造者名や用紙種類等から前記回収対象用紙固有の用紙識別情報が印刷されているか否かを判別する。
【００３５】
なお、本実施形態の場合、印刷用紙の用紙サイズに応じて異なるポイントを発行するため、用紙情報読取・判別部１４は、撮影画像サイズ又はバーコードの用紙サイズ情報から、用紙受入口４に差し入れられた印刷用紙の用紙サイズも判別する。
【００３６】
そして、用紙回収処理部１５は、用紙情報読取・判別部１４が判別した用紙サイズの別に、回収対象用紙等を前記用紙回収容器に回収して保存する。なお、この用紙回収容器は満杯になる前に後述のカートリッジ回収容器とともに回収されて取り替えられる。
【００３７】
つぎに、印刷用紙回収機１が回収可能なインクカートリッジは、インクジェットプリンタのいわゆる一体型カートリッジ及び各色別の個別カートリッジであり、回収対象カートリッジ固有のカートリッジ識別情報は、例えば純正のそれらのカートリッジのＩＣチップ（ＣＳＩＣ）又は無線タグの情報である。
【００３８】
そして、カートリッジ情報読取・判別部１７は、前記ＩＣチップの差し込み端子部又は前記無線タグとの通信部を有し、前記ＩＣチップから読み出した情報又は前記無線タグから受信した情報に基づき、カートリッジ投入口７に投入されたインクカートリッジが回収対象カートリッジ（純正のインクカートリッジ）か否かを判別する。また、カートリッジ回収処理部１８は、回収対象カートリッジをカートリッジ回収容器に回収して保存する。
【００３９】
つぎに、用紙情報読取・判別処理部１４により前記回収対象用紙固有の用紙識別情報が読み取られない回収対象用紙外の印刷用紙については、表示処理部１２の表示制御により、表示部３ａに、例えば「純正用紙ではありません。回収しますか？ＹＥＳ／ＮＯ」という回収可否の選択画面を表示し、この選択画面から所定の操作ボタン３ｂを操作して回収可が選択されたときには、その回収対象外の印刷用紙を用紙回収処理部１８が回収し、回収不許可が選択されたときには、その印刷用紙を用紙排出口５から排出する。
【００４０】
つぎに、ポイントカード書込／読出部２０は、前記回収対象用紙固有の用紙識別情報が読み取られた印刷用紙に対して少なくとも用紙購入に充当可能なポイントを発行し、前記回収対象カートリッジ固有のカートリッジ識別情報が読み取られたインクカートリッジに対しても同様のポイントを発行する。
【００４１】
そして、印刷用紙に対して発行するポイントは、用紙サイズに関わらず一定数であってもよいが、用紙サイズに応じてポイントを公平に発行するため、本実施形態においては、例えば、つぎの表１に示すように、Ｌ、４×６、２Ｌ、Ａ４、Ａ３の用紙サイズ別に発行ポイントを異ならせる。なお、表１にはインクカートリッジに対する発行ポイント数も併せて示している。また、ポイントは、ポイントカードに記録して蓄積保存され、例えば１ポイント＝１円の換算で、純正の印刷用紙またはインクカートリッジの購入に充当される。
【００４２】
【表１】
2009217311.tif 000003
【００４３】
ところで、発行されたポイントは、厳正に管理するため、本実施形態においては、用紙回収機１では使えないものとし、プリンタメーカのウエブサイトからの印刷用紙やインクカートリッジの購入に限って使用される。
【００４４】
そのため、通信処理部２１は、用紙回収機１のポイントカード挿入口６にポイントカードが挿入されると、自動的にプリンタメーカーのウエブサイトにアクセスし、そのデータベースに記録されているユーザー別の最新のポイントを読み出し、ポイントカードのポイントを前記データベースから読み出したポイントに書き替える。つぎに、ポイントが発行されてポイントカードのポイントが書き替えられると、そのポイントを最新のポイントとして前記データベースに送り、このデータベースの記録を書き替えて更新する。なお、ポイントの照会が選択されたときは、通信処理部２１によって前記データベースの最新のポイントが読み出され、表示部３ａに表示されるとともに、ポイントカードのポイントが前記データベースから読み出した最新のポイントに書き替えられる。
【００４５】
（印刷用紙回収機１の動作）
つぎに、以上のように構成された印刷用紙回収機１の用紙回収動作について、図３を参照して説明する。
【００４６】
まず、待機中の印刷用紙回収機１は表示処理部１２の表示処理に基づき、表示部３ａに回収対象用紙及び回収対象カートリッジの回収及びポイント発行のメッセージが表示される。
【００４７】
そして、印刷用紙が用紙受入口４に差し入れられると、その印刷用紙の差し込みがオートローディング機構によって検出され（図３のステップＳ１）、差し込まれた印刷用紙は、自立型スタンドケース２内に取り込まれて用紙情報読取・判別部１４に送られる。
【００４８】
用紙情報読取・判別部１４は、印刷用紙の裏面のロゴマーク又はバーコードを読み取り、その用紙が回収対象用紙か否かを判別し、併せて、用紙サイズ等も判別する（図３のステップＳ２）。
【００４９】
そして、用紙受入口４に差し入れられた印刷用紙が、回収対象用紙（純正の写真用紙）であれば、図３のステップＳ２からステップＳ３を介してステップＳ４に移行し、ポイントカード書込／読出処理部２０により、用紙サイズに応じたポイントを計算する。
【００５０】
このとき、ポイントカード書込／読出処理部２０は、ポイントカード挿入口６に差し込まれたポイントカードの情報（プリンタメーカーのデータベースに記録されている最新のポイントに書き替えられた情報）を読み取る。つぎに、読み取ったポイントカードのポイントに新たに計算したポイントを加算し、ポイントカードのポイントを加算結果の最新のポイントに書き替え、印刷失敗やノズルチェックパターンの印刷のようなユーザーとっては無駄な消費に等しい印刷が行われた純正の写真用紙に対してポイントを発行する。なお、加算結果のポイントは通信処理部２１からプリンタメーカーのデータベースに送られ、該データベースの記録も同時に更新される。
【００５１】
さらに、図３のステップＳ５に移行し、用紙回収処理部１８によりその印刷用紙を回収し、用紙サイズ別に用紙回収容器に回収して保存し、一連の回収処理を終了してステップＳ１にもどる。
【００５２】
一方、図３のステップ２において、用紙受入口４に差し入れられた印刷用紙が、回収対象用紙でなければ、ステップＳ２からステップＳ３を介してステップＳ６に移行し、表示部３ａに回収可否の選択画面を表示する。
【００５３】
そして、所定の操作ボタン３ｂの操作によって回収可が選択されると、図３のステップＳ６からステップＳ７を介してステップＳ５に移行し、用紙回収処理部１８により、その印刷用紙も用紙サイズ別に用紙回収容器に回収して保存する。回収不可が選択されると、前記ステップＳ６からステップＳ７を介してステップＳ８に移行し、その印刷用紙を用紙排出口５から排出する。
【００５４】
なお、印刷用紙回収機１では失敗印刷であるか否か等の判断は行えない。そして、印刷用紙回収機１に印刷用紙を差し入れるか否かはユーザーの自由である。したがって、実際には、成功印刷の印刷用紙であってもユーザーが不要と判断して用紙回収機１に差し入れた純正の写真用紙については回収されてポイントが発行されることになる。そして、本発明においては、要するにユーザーが保存しておきたいと思う写真等以外を印刷した使用済みの写真用紙等の純正の専用紙は、全てユーザーにとっては無駄な印刷が行われた用紙であり、回収対象用紙として回収する。
【００５５】
（印刷用紙回収機１を用いた印刷用紙回収方法）
つぎに、印刷用紙回収機１を用いた印刷用紙回収方法の具体例について、図４を参照して説明する。
【００５６】
印刷用紙回収機１は印刷用紙の販売店やコンビニエンスストア等に設置される。そして、図４に示すようにユーザーαが使用済みの回収対象用紙（純正の写真用紙）を店頭に持参して印刷用紙回収機１に差し入れると、印刷用紙回収機１はその用紙を回収してポイントを発行する。同時に、発行したポイントの情報をプリンタメーカーβのデータベースに送り、プこのデータベースにユーザー別に現在の有効なポイントを保持する。
【００５７】
さらに、印刷用紙回収機１の用紙回収容器に回収して保存された用紙はプリンタメーカーβを通してリサイクル業者γに渡され、再生紙として再利用される。その際、一旦回収された回収対象用紙に対してポイントが二重に発行されりしないようにするため、例えば、プリンターメーカーβにおいて、回収した用紙を裁断したり、ロゴマークやバーコードを塗りつぶす等の対策が施される。なお、このような対策を省くため、回収対象用紙の裏面にロゴマークやバーコード等を回収時に自動的に塗りつぶす等するようにしてもよい。
【００５８】
つぎに、ポイントカードのポイントは、プリンタメーカーのウエブサイトに印刷用紙やインクカートリッジを注文して購入するときに、その購入代金の支払いに使用される。また、注文された印刷用紙やインクカートリッジは郵便等によってユーザーに配達される。
【００５９】
なお、前記ウエブサイトからの購入によってプリンタメーカーβのデータベースに記録されている当該ユーザーのポイント（残数）が使用した分だけ減る。そして、ユーザーαが印刷用紙回収機１にポイントカードを差し入れて、ポイントの照会や新たな回収対象用紙の回収を行うと、前記データベースから印刷用紙回収機１にユーザーαの現在のポイントの情報が送られ、ポイントカードのポイントが送られてきたポイントに自動的に書き替えられ、その後に用紙回収に伴う新たなポイントへの書き替え等が行われる。
【００６０】
以上説明したように、本実施形態の印刷用紙回収機１によると、印刷失敗やノズルチェックパターンの印刷のようなユーザーとっては無駄な消費に等しい印刷が行われた回収対象用紙（純正の写真用紙）を回収するるとともに、その用紙購入代金の何割かをポイントでユーザーに還元して用紙購入に対する経済的な負担を軽減することができる。さらに、紙ジャム等の故障を誘発することもない。その結果、インクジェットプリンタの評価を高めることができる。加えて、回収された印刷用紙を再利用することにより、環境保護等にも貢献ができる。
【００６１】
しかも、回収対象用紙以外の印刷用紙が差し入れられたときには、表示部３ａに回収してもよいか否かの選択画面を表示し、この選択画面の表示に基づいて用紙回収可が選択されたときは、その用紙も回収して保存することができる。また、前記選択画面の表示に基づき用紙回収不可が選択されたときは、用紙排出口５からその印刷用紙を排出して返却する。そのため、回収対象用紙（純正の写真用紙）以外の印刷用紙についても、そのユーザーの意思を優先して積極的に回収することができ、印刷用紙の再利用による環境保護等に一層貢献できる。
【００６２】
さらに、カートリッジ投入口７に投入された回収対象のインクカートリッジについても、回収するるとともに、その購入代金の何割かをポイントでユーザーに還元して経済的な負担を軽減することができる。その結果、インクジェットプリンタの評価を一層高めることができる。
【００６３】
本発明は上記した実施形態に限定されるものではなく、その趣旨を逸脱しない限りにおいて上述したもの以外に種々の変更を行うことが可能である。
【００６４】
例えば、前記回収対象用紙固有の用紙識別情報は、印刷用紙に貼り付けたり漉きんだりした無線タグの情報であってもよい。この場合、印刷用紙回収機１の無線タグリーダーにより無線タグに書き込まれている情報を読み込んで判断すればよい。さらに、前記回収対象用紙固有の用紙識別情報は、用紙裏面のロゴマークやバーコード、前記無線タグの情報に限るものではないのは勿論である。
【００６５】
つぎに、用紙回収に対するポイントの発行数や、ポイントの換算レート等は、適当に定めればよく、実施形態のものに限られない。また、回収対象用紙の用紙サイズや用紙種類も等も、実施形態のものに限られるものではない。
【００６６】
つぎに、印刷用紙回収機１の外観構成や内部の回路構成等は実施形態の構成でなくてもよく、どのような外観や回路構成であってもよく、例えば、回収対象用紙固有の用紙識別情報が読み取られない回収対象用紙外の印刷用紙について、回収可否の選択画面を表示して回収の可否を選択する構成を省き、無条件に用紙排出口５から排出するようにしてもよい。また、印刷用紙回収機１は、印刷用紙の回収専用機であってもよく、どのような場所に設置してもよい。
【００６７】
そして、本発明は、フォトプリンタ等のインクジェットプリンタの種々の印刷用紙の回収に適用することができる。
【図面の簡単な説明】
【００６８】
【図１】本発明の一実施形態の印刷用紙回収機の斜視図。
【図２】図１の印刷用紙回収機の回路ブロック図。
【図３】図１の印刷用紙回収機の動作説明用のフローチャート。
【図４】図１の印刷用紙回収機を用いた印刷用紙回収方法の模式図。
【符号の説明】
【００６９】
３ａ…表示部、４…用紙受入口、５…用紙排出口、６…ポイントカード挿入口、９…ＣＰＵ、１４…用紙情報読取・判別部、１５…用紙回収処理部、２０…ポイントカード書込／読出処理部
【図１】
2009217311.tif 000004
【図２】
2009217311.tif 000005
【図３】
2009217311.tif 000006
【図４】
2009217311.tif 000007